(57)【要約】【課題】切手の認識率を向上することができる取揃押印機の切手辞書登録装置および切手辞書登録プログラムを提供する。【解決手段】実施形態の切手辞書登録装置は、画像入力手段で読み取った紙葉類の画像から切手位置を検出し、その検出した切手位置の画像をコンピュータの画面に表示して切手辞書に登録するか否かの判断に供すると共に、入力画面に表示された切手画像を前記切手辞書に登録する切手登録手段と、を具備し、切手登録手段は、切手画像が切手辞書への登録に適したものである場合は、当該切手画像を選択して当該切手パターンを切手辞書に登録し、且つ登録時に同一柄切手が存在する場合は、別な切手画像として切手辞書に登録し、切手画像が切手辞書への登録に適したものでない場合、切手画像の少なくとも宛名の影響を受けない領域を指定して再検出処理を実施するために画面に表示し、切手辞書への登録に適したものかの判断に供することを特徴とする。【選択図】図３
2015178110.tif 000002
【特許請求の範囲】
【請求項１】
紙葉類の画像を読み取る画像入力手段と、
切手辞書と、
前記画像入力手段で読み取った前記紙葉類の画像から切手位置を検出し、その検出した切手位置の画像をコンピュータの画面に表示して前記切手辞書に登録するか否かの判断に供すると共に、入力画面に表示された切手画像を前記切手辞書に登録する切手登録手段と、を具備し、
前記切手登録手段は、
前記切手画像が前記切手辞書への登録に適したものである場合は、当該切手画像を選択して当該切手パターンを前記切手辞書に登録し、且つ登録時に同一柄切手が存在する場合は、切手画像内の料金の記載している領域を選択することによって切手料金辞書を作成するとともに、別な切手画像として前記切手辞書に登録し、
前記切手画像が前記切手辞書への登録に適したものでない場合、前記切手画像の少なくとも宛名の影響を受けない領域を指定して前記再検出処理を実施するために前記画面に表示し、前記切手辞書への登録に適したものかの判断に供する
ことを特徴とする取揃押印機の切手辞書登録装置。
【請求項２】
紙葉類の画像を読み取る画像入力手段で読み取った前記紙葉類の画像から切手位置を検出し、その検出した切手位置の画像をコンピュータの画面に表示して切手辞書に登録するか否かの判断に供すると共に、入力画面に表示された切手画像を前記切手辞書に登録する切手登録プログラムであって、
前記切手画像が前記切手辞書への登録に適したものである場合は、当該切手画像を選択して当該切手パターンを前記切手辞書に登録し、且つ登録時に同一柄切手が存在する場合は、切手画像内の料金の記載している領域を選択することによって切手料金辞書を作成するとともに、別な切手画像として前記切手辞書に登録する機能と、
前記切手画像が前記切手辞書への登録に適したものでない場合、前記切手画像の少なくとも宛名の影響を受けない領域を指定して前記再検出処理を実施するために前記画面に表示し、前記切手辞書への登録に適したものかの判断に供する機能と
をコンピュータに実行させることを特徴とする切手辞書登録プログラム。
【発明の詳細な説明】
【技術分野】
【０００１】
本発明は、取揃押印機の切手辞書登録装置および切手辞書登録プログラムに関する。
【背景技術】
【０００２】
従来、葉書、封書などの紙葉類上の切手、別納後納印、料金計器、及び各種マークなどの料額印を光学的に読み取って紙葉類を区分する取揃押印機は、紙葉類の濃淡画像から検出した切手候補画像と予め切手辞書に登録されている全ての切手の画像との最大類似度を算出することにより切手の認識処理を行っている。
【０００３】
この切手辞書は紙葉類の画像から操作員が切手領域を指定し、切手領域を切り出して作成していた（例えば、特許文献１参照）。
【先行技術文献】
【特許文献】
【０００４】
【特許文献１】特開２００３−２７１９５５号公報
【発明の概要】
【発明が解決しようとする課題】
【０００５】
従来の取揃押印機の切手辞書は、操作員が切手画像から切手領域を切り出し作成されていたため、取揃押印機における検出領域と異なった登録をされる場合があり、切手の認識率低下の原因となっていた。
【０００６】
そこで、本発明は切手の認識率を向上することができる取揃押印機の切手辞書登録装置および切手辞書登録プログラムを提供することを目的とする。
【課題を解決するための手段】
【０００７】
上記目的を達成する為に請求項１記載の取揃押印機の切手辞書登録装置は、紙葉類の画像を読み取る画像入力手段と、切手辞書と、前記画像入力手段で読み取った前記紙葉類の画像から切手位置を検出し、その検出した切手位置の画像をコンピュータの画面に表示して前記切手辞書に登録するか否かの判断に供すると共に、入力画面に表示された切手画像を前記切手辞書に登録する切手登録手段と、を具備し、前記切手登録手段は、前記切手画像が前記切手辞書への登録に適したものである場合は、当該切手画像を選択して当該切手パターンを前記切手辞書に登録し、且つ登録時に同一柄切手が存在する場合は、別な切手画像として前記切手辞書に登録し、前記切手画像が前記切手辞書への登録に適したものでない場合、前記切手画像の少なくとも宛名の影響を受けない領域を指定して前記再検出処理を実施するために前記画面に表示し、前記切手辞書への登録に適したものかの判断に供することを特徴とする。
【発明の効果】
【０００８】
本発明によれば、切手の認識率を向上することができる取揃押印機の切手辞書登録装置を提供することができる。
【図面の簡単な説明】
【０００９】
【図１】本発明の実施の形態１に係る取揃押印機１の構成を示す図。
【図２】本発明の実施の形態１に係る切手全面辞書２５、及び切手料金辞書２６の作成時のデータ処理の流れを示した模式図。
【図３】本発明の実施の形態１に係る操作員による切手登録プログラム２２を用いた切手辞書の作成処理のフローチャート。
【図４】本発明の実施の形態１に係る受光部Ｓ１にて受光した光に基づく画像データを拡大した例を示す図。
【図５】本発明の実施の形態１に係る同一柄切手の際の認識処理方法について説明するための図。
【発明を実施するための形態】
【００１０】
以下、図面を参照して本発明の実施の形態を説明する。
【００１１】
（実施の形態１）
図１は、本発明の実施の形態に係る取揃押印機１の構成を示すブロック図である。取揃押印機１は、操作員により供給された紙葉類に付与されている料額印を検出することにより紙葉類の表裏を揃えて料額印に押印し、紙葉類の種類別に区分するものである。
【００１２】
なお、以下の説明において、料額印が付与されている側の紙葉類の面を紙葉類の表面、その反対側の面を紙葉類の裏面とする。
【００１３】
図１に示すように取揃押印機１は、供給部１１、画像入力部１２、料額印検出部１３、制御部１４、反転部１５、押印部１６、及び区分部１７を有して構成されている。
【００１４】
この取揃押印機１の各部間は、図示指示ない搬送路を介して紙葉類が搬送されるよう構成される。
【００１５】
供給部１１は、操作員により取揃押印機に紙葉類が供給されるための構成である。この際、操作員は紙葉類の表裏を揃えることなく供給部１１に供給する。この供給部１１は、供給された紙葉類を１枚ずつ取り出して図示しない搬送路へ紙葉類を供給する。
【００１６】
画像入力部１２は、図示しない搬送路を介して供給部１１より搬送される紙葉類を表面、裏面を読み取るよう構成されている。例えば、画像入力部１２は、搬送される紙葉類の表面の画像を光学的に読み取るスキャナ、及び紙葉類の裏面の画像を光学的に読み取るスキャナにより構成される。
【００１７】
料額印検出部１３は、図示しない搬送路を介して画像入力部１２から搬送される紙葉類の表面、及び裏面の２面の画像に対して料額印の検出処理をする。例えば、料額印検出部１３は、料額印が検出されたか否かを示す情報、料額印が検出された面を示す情報、及び検出された料額印の位置を示す情報などを検出処理結果として制御部１４へ供給するように構成される。
【００１８】
制御部１４は、ＣＰＵ（Ｃｅｎｔｒａｌ Ｐｒｏｃｅｓｓｉｎｇ Ｕｎｉｔ）を指し、料額印検出部１３の検出処理結果に基づいて、料額印の種類を判別処理、料額印の認識処理などを行い、紙葉類に対する処理を判断する。例えば、制御部１４は、料額印が検出された面を示す情報、及び料額印が検出された位置を示す情報に基づいて、現在の搬送状態のままで後述の押印部１６での処理が可能か否かについて判断する。この判断により紙葉類に押印が可能であると判断した場合、制御部１４は、紙葉類を後述の反転部１５で反転させることなく、現在の搬送状態のまま図示しない搬送路を介して押印部１６へ搬送制御する。一方、現在の搬送状態のままでは紙葉類に押印が不可能であると判断した場合には制御部は、紙葉類を後述の反転部１５において押印部１６へ図示しない搬送路を介して搬送するよう制御する。また、制御部１４は、紙葉類から検出された料額印を認識処理する料額印認識部１８を有している。
【００１９】
料額印認識部１８は、検出された料額印と後述する切手辞書１９に記憶されている料額印のパターンとのパターン認識処理を行うことにより料額印の種類、及び料額印面を認識する。料額印認識部１８による料額印の認識結果に基づいて制御部１４は、上述の紙葉類の種類を判別処理する。
【００２０】
反転部１５は、画像入力部１５において紙葉類の表面、裏面の画像が読み取られた紙葉類が搬送路を介して搬送され、制御部１４による制御に基づいて紙葉類の向きを揃えるための反転処理を行う。例えば、画像入力部１２から反転部１５へ紙葉類が搬送される間に制御部１４は紙葉類を反転させる必要が有るか否かを判断するようになっている。この判断により、反転部１５は、制御部１４による制御に従い、紙葉類に対する判定処理を実行する。つまり、反転部１５は制御部１４による制御に従い料額印に押印可能な状態にして紙葉類を押印部１６へ搬送する。
【００２１】
押印部１６は、反転部１５から搬送路を介して搬送される紙葉類に対して、制御部１４から供給される料額印の位置を示す情報に基づいて押印処理を行う。
【００２２】
区分部１７は、図示しない複数の集積部（区分口）が設けられており、押印部１６において押印処理された紙葉類が搬送路を介して搬送され制御部から供給される紙葉類の種類ごとに紙葉類を区分処理する。
【００２３】
図２は、切手全面辞書２５、及び切手料金辞書２６の作成時のデータ処理の流れを示した模式図である。紙葉類画像データ２１は、取揃押印機１の画像入力部１２において読み取られた紙葉類の画像である。この紙葉類の画像は、図２に示したようにＰＣ（Ｐｅｒｓｏｎａｌ Ｃｏｍｐｕｔｅｒ）８０に送られるようになっている。
【００２４】
切手登録プログラム２２は、ＰＣ８０により実行されるプログラムであり、紙葉類から切手位置を検出し、検出した切手位置から切手を認識する機能を持つシミュレータ２３を有している。
【００２５】
シミュレータ２３は、料額印検出部１３と料額印認識部１８のアルゴリズムを使用して切手辞書１９（後述の切手全面辞書２５、及び切手料金辞書２６）を作成している。
【００２６】
切手登録プログラム２２は、紙葉類画像データ２１を読み込みシミュレータ２３の切手位置を検出し、その結果を画面に表示する。操作員は、この表示された切手検出結果の中から切手辞書への登録にふさわしいと判断したものを選択する。
【００２７】
操作員によって選択された切手検出結果に基づいて切手登録プログラム２２は、切手類似度辞書を作成し、切手全面辞書２５として切手データベース２４へ登録する。
【００２８】
操作員は同時に、ＰＣ８０の入力機能を利用して切手情報（切手ＩＤ、切手サイズ、残光情報）を入力する。入力された切手情報は切手情報テーブル２７として切手データベース２４に登録される。
【００２９】
また、登録対象の切手が、絵柄が同一で料金のみ異なる場合には（以下、この切手を同一柄切手とする）、それぞれの切手画像から切手全面辞書２５を作成するのと同時に、操作員が指定した料金部分の辞書を別に作成し、それを切手料金辞書２６として切手データベース２４に登録される。
【００３０】
図３は、操作員による切手登録プログラム２２を用いた切手辞書の作成処理のフローチャートである。以下、図３を参照して切手辞書の作成処理について説明する。
【００３１】
操作員は、登録対象の切手を紙葉類に貼付する（Ｓ１）。登録対象の切手を貼付した紙葉類を取揃押印機１に供給する。供給した紙葉類は搬送路によって搬送され画像入力部１２によって紙葉類面の画像が読み取られる（Ｓ２）。なお、この処理（Ｓ１、Ｓ２）を登録対象の切手全てに対して行う。
【００３２】
更に、非矩形切手の場合には、地色の異なる複数の紙葉類（茶封筒、白封筒など）に同一の切手を貼付し、上述と同様にして画像を読み取る。
【００３３】
操作員は、ＰＣ８０を操作して切手登録プログラム２２を起動する（Ｓ３）。切手登録プログラム２２は、Ｓ２において読み取られた紙葉類の画像を読み込み、シミュレータ２３を用いて切手の検出処理を実行し、それをＰＣ８０の画面に表示する（Ｓ４）。
【００３４】
操作員は、この表示された切手検出結果の内から、切手辞書への登録に適したものが存在するか否かを確認する（Ｓ５）。操作員は、ＰＣ８０に表示された検出候補の中に切手辞書への登録に適した切手が存在していれば（Ｓ５のＹｅｓ）、それを選択しＰＣ８０の記憶部に保存する（Ｓ６）。
【００３５】
一方、適した切手が存在しない場合（検出候補が存在しない、検出候補の中に切手辞書への登録に適した切手が存在しない場合）（Ｓ５のＮｏ）、操作員は領域を指定して再度検出処理を行うか否かを決定する（Ｓ７）。
【００３６】
再検出を行う場合には（Ｓ７のＹｅｓ）、操作員が切手を含むおおよその領域を指定することによって、シミュレータ２３がその指定された領域の中で再検出を行う（Ｓ８）。再検出処理の結果は、ＰＣ８０の画面に表示されＳ５へ戻る。
【００３７】
このように適した切手が存在しない場合には操作員が領域を指定して再度検出処理を行うことにより広告や宛名の影響を受けることなく正確な切手の候補位置を検出することが出来る。
【００３８】
また、シミュレータ２３の検出結果を利用することなく、操作員が手動で領域を切り出し記憶部へ保存することもできる（Ｓ９）。
【００３９】
Ｓ６、Ｓ９によって保存された画像を元に、切手全面辞書２５を作成する（Ｓ１０）。このとき、操作員は、該当切手画像の切手ＩＤ、残光情報、及び料金などの切手情報を入力し、ここで入力された切手情報と、Ｓ４における検出時に算出した切手サイズなどの情報とを切手情報テーブル２７に保存する。ここで切手情報テーブル２７の一例を図４に示す。更に、非矩形切手の場合にはＳ４からＳ９までの処理を、貼付した紙葉類の枚数分実施する。このとき、切手情報テーブル２７に保存する切手ＩＤは同一の番号を指定する。つまり、切手登録プログラム２２は、切手ＩＤに同一の番号が指定された場合、切手画像ファイルにシリアル番号を順に振っていくことによって別々の画像ファイルとして保存、管理することが出来る。
【００４０】
Ｓ１０の後、切手登録プログラム２２は、登録対象の切手パターンが切手全面辞書２５に予め登録されている辞書パターンと同一柄切手であるか否かを判断する（Ｓ１１）。Ｓ１１における判断の結果、同一柄切手画像であれば、操作員はその切手画像内の料金の記載している領域を選択することによって切手料金辞書２６を作成する（Ｓ１２）。切手料金辞書２６は、単なる画像ファイルとして保存しても良い。このとき、同一柄切手画像の切手ＩＤには、図４に示すように異なる番号を指定する。そして、同一柄切手画像の切手ＩＤに、その切手画像と同一の図柄を持つ切手画像の切手ＩＤを指定して切手情報テーブル２７に保存する。切手画像の認識時には、この同一柄切手同士のＩＤが登録されている切手画像に対してのみ、切手料金辞書２６とのマッチングを行う。切手情報テーブル２７は、操作員が指定する料金値と料金領域の指定時に切手登録プログラム２２が算出した料金座標情報も同時に保存する。
【００４１】
Ｓ１０で作成した切手全面辞書２５とＳ１２で作成した切手料金辞書２６（同一柄切手が存在する場合）を用いて認識実験を行う（Ｓ１３）。
【００４２】
Ｓ１３における認識実験は、切手登録プログラム２２の有するシミュレータ２３により以下の通り行う。切手全面辞書２５に登録した切手パターンと切手全面辞書２５に予め登録されている全ての辞書パターンとを照合し、それぞれの類似度を算出する。
【００４３】
その中で最大の類似度を持つ辞書パターンの切手ＩＤを、その切手パターンに対する認識結果とする。
【００４４】
この認識結果に同一柄切手の切手ＩＤが登録されている場合には、切手の図柄のみでは料金の判定が行えない。
【００４５】
つまり、切手情報テーブル２７において最大類似度を持つ切手パターンがＩＤ＝１と出力された場合、ＩＤ＝１に対する同一柄の切手は登録されていない（切手情報テーブル２７の１行目の同一柄切手の切手ＩＤ欄が空欄であるから）と確定されるため、認識結果は、（切手ＩＤ＝１、料金＝５３）と確定される。
【００４６】
一方、認識結果に同一柄切手の切手ＩＤが登録されていれば、上述したように切手の図柄のみでは料金判定が行えないため、切手料金辞書２６とのマッチングを行う。切手情報テーブル２７に格納された料金座標を元に切手パターンから料金画像を切り出し、その切り出されたパターンと切手料金辞書２６に登録された料金辞書（同一柄切手の切手ＩＤに登録されたＩＤと一致するもの）との照合を行う。この結果、最大類似度を持つものを料金認識結果と確定する。例えば、切手情報テーブル２７では、最大類似度を持つ辞書パターンがＩＤ＝２０と出力された場合、ＩＤ＝２０に対する同一柄切手が登録されているため、料金辞書とのマッチングが必要になる。
【００４７】
図５は、この処理の概略を表した図である。同一柄切手１１種類（図４に示す同一柄切手の切手ＩＤ：１３〜２４）と切手ＩＤ：２０のＩＤを持つ切手料金辞書２６との照合を行った中で最大の類似度を持つものの切手ＩＤが２１であったとすると、最終認識結果は（切手ＩＤ＝２１、料金＝５）と確定される。つまり、切手認識結果の切手ＩＤ＝２０は却下され切手ＩＤ＝２１と確定される。
【００４８】
Ｓ１３による認識実験の後、上述のようにして求めた認識結果の類似度と、指定された一定の閾値との比較を行う（Ｓ１４）。Ｓ１４における閾値との比較の結果、類似度が閾値よりも高い場合（Ｓ１４のＹｅｓ）、切手全面辞書２５、及び切手料金辞書２６は正しく作成されたとして、切手データベース２４に登録する（Ｓ１５）。
【００４９】
一方、Ｓ１４における閾値との比較の結果、類似度が閾値以下の場合はこの切手パターンは辞書にふさわしくないとしてＳ１０とＳ１２で作成した切手全面辞書２５、及び切手料金辞書２６は削除してＳ１４へ戻る（Ｓ１４のＮｏ）。
【００５０】
以上のように、切手登録プログラム２２にシミュレーション機能を搭載することにより、取揃押印機１による切手の認識結果を利用して切手辞書を作成するため、操作員が切手領域を指定し、切手領域を切り出して切手辞書を作成することと比較して切手辞書の登録手順を簡略化することが出来ることに加え、作成した切手辞書を含む切手データベース２４の精度が向上する。更に、地色の異なる複数の紙葉類に貼付された切手画像から切手辞書を作成できるようにしたため、非矩形切手の認識性能が向上する。
【００５１】
また、切手全面辞書２５と切手料金辞書２６を作成することによって、同じ図柄で異なる料金を持つ切手の識別が可能となる。つまり、カラースキャナなどを使用する必要が無く、また、切手に残光バーなどの情報が含まれていない場合であっても切手料金を計算することが可能となった。
【００５２】
なお、この発明は、上述した実施の形態に限定されるものではなく、実施段階ではその要旨を逸脱しない範囲で構成要素を変形して具現化できる。また、上述の実施の形態に開示されている複数の構成要素の適宜な組み合わせにより、種々の発明を形成できる。例えば、実施の形態に示される全構成要素からいくつかの構成要素を削除しても良い。さらに異なる実施の形態にわたる構成要素を適宜組み合わせても良い。
【符号の説明】
【００５３】
１ 取揃押印機
１１ 供給部
１２ 画像入力部
１３ 料額印検出部
１４ 制御部
１５ 反転部
１６ 押印部
１７ 区分部
１８ 料額印認識部
２４ 切手データベース
２５ 切手全面辞書
２６ 切手料金辞書
２７ 切手情報テーブル
【図１】
2015178110.tif 000003
【図２】
2015178110.tif 000004
【図３】
2015178110.tif 000005
【図４】
2015178110.tif 000006
【図５】
2015178110.tif 000007